(57)【特許請求の範囲】
【請求項１】
複数の点光源が配列された原稿読み取り用の光源と、前記点光源の実装半田部分の温度を検知する温度検知センサと、前記点光源を冷却する冷却ファンと、前記温度検知センサからの検知温度に基づいて前記冷却ファンを駆動制御して前記点光源の温度を一定範囲に調節するファン制御部と、を備え、
前記温度検知センサが前記点光源の実装半田部分に直接接触していること、を特徴とする、画像読取装置。
【請求項２】
前記温度検知センサと前記冷却ファンとをそれぞれ複数備え、前記冷却ファンは各々に別個の前記温度検知センサからの検知温度に基づいて駆動制御されていることを特徴とする、請求項１に記載の画像読取装置。
【請求項３】
一つの前記冷却ファンに対応して複数の前記温度検知センサが配設され、複数の前記温度検知センサからのそれぞれの検知温度に基づいて、対応する一つの前記冷却ファンを駆動制御していることを特徴とする、請求項１または請求項２に記載の画像読取装置。
【請求項４】
一つの前記温度検知センサに対応して複数の前記冷却ファンが配設され、前記温度検知センサからの一つの検知温度に基づいて、複数の前記冷却ファンが駆動制御されていることを特徴とする、請求項１または請求項２に記載の画像読取装置。
【請求項５】
前記ファン制御部は前記冷却ファンをＯＮ／ＯＦＦ制御して前記点光源の温度を一定範囲に調節していることを特徴とする、請求項１〜請求項４のいずれかに記載の画像読取装置。
【請求項６】
請求項１〜請求項５のいずれかに記載の画像読取装置を備えたことを特徴とする、画像形成装置。
【発明の詳細な説明】
【技術分野】
【０００１】
本発明は、電子写真方式を用いた複写機、プリンタ、ファクシミリなどの画像読取装置および画像形成装置に関する。
【背景技術】
【０００２】
近年、ファクシミリや複写機などの画像読取装置おいて、低消費電力のため原稿読み取り用の光源として複数の点光源（ＬＥＤ素子）が配列されたＬＥＤ光源を使用したものが、製品として市場に出始めている。ここで、ＬＥＤ光源は、長時間発光させると、ＬＥＤ素子の温度が上昇することによって発光光量が減少したり、発光スペクトルが変化したりする特性がある。
【０００３】
そこで、この問題を解消するため、特許文献１に記載の画像読取装置は、ＬＥＤ光源の温度を検出するためのサーミスタを備え、サーミスタからの検出温度に基づき冷却ファンのＯＮ／ＯＦＦ制御を行い、特性変化の軽減を図っている。
【０００４】
【特許文献１】特開２００２−２３７９２７号公報
【発明の開示】
【発明が解決しようとする課題】
【０００５】
しかしながら、従来の画像読取装置は、サーミスタをＬＥＤ光源から離隔した位置（ただし、ＬＥＤ光源の近傍）に配設していた。このため、ＬＥＤ光源の温度を正確に検出することが困難であり、ＬＥＤ光源の特性変化の軽減が十分ではなかった。また、一部の画像読取装置は、読取原稿サイズによって、主走査方向に配列されている複数のＬＥＤ素子の中から選択的にＬＥＤ素子を点灯するものがある。この場合、点灯するＬＥＤ素子と点灯しないＬＥＤ素子があるので、点灯して温度が上昇しているＬＥＤ素子部分だけを冷却ファンで冷却する方が効率的である。
【０００６】
それゆえに、本発明の主たる目的は、点光源の特性変化を軽減でき、安定した光量およびスペクトルにて原稿を照射して、良好な画像を得ることができる低消費電力タイプの画像読取装置および画像形成装置を提供することである。
【課題を解決するための手段】
【０００７】
請求項１に係る発明は、複数の点光源が配列された原稿読み取り用の光源と、点光源の実装半田部分の温度を検知する温度検知センサと、点光源を冷却する冷却ファンと、温度検知センサからの検知温度に基づいて冷却ファンを駆動制御して点光源の温度を一定範囲に調節するファン制御部と、を備え、温度検知センサが点光源の実装半田部分に直接接触していること、を特徴とする、画像読取装置である。
【０００８】
請求項１の発明では、点光源の実装半田部分の温度を検知するため、点光源の温度検知が従来より正確になる。点光源としては、例えばＬＥＤ素子などがある。
【０００９】
請求項２に係る発明は、請求項１に係る発明に従属する発明であって、温度検知センサと冷却ファンとをそれぞれ複数備え、冷却ファンは各々に別個の温度検知センサからの検知温度に基づいて駆動制御されていることを特徴とする、画像読取装置である。
【００１０】
請求項２の発明では、冷却ファンは各々に別個の温度検知センサからの検知温度に基づいて駆動制御されているため、温度が上昇した範囲のみ冷却ファンを稼動することができ、効率的に点光源を冷却することができる。
【００１１】
また、請求項３に係る発明は、請求項１または請求項２に係る発明に従属する発明であって、一つの冷却ファンに対応して複数の温度検知センサが配設され、複数の温度検知センサからのそれぞれの検知温度に基づいて、対応する一つの冷却ファンを駆動制御していることを特徴とする、画像読取装置である。
【００１２】
請求項３の発明では、複数の温度検知センサからのそれぞれの検知温度に基づいて、対応する一つの冷却ファンを駆動制御しているため、点光源の温度調節に優れている。
【００１３】
また、請求項４に係る発明は、請求項１または請求項２に係る発明に従属する発明であって、一つの温度検知センサに対応して複数の冷却ファンが配設され、温度検知センサからの一つの検知温度に基づいて、複数の冷却ファンが駆動制御されていることを特徴とする、画像読取装置である。
【００１４】
請求項４の発明では、温度検知センサからの一つの検知温度に基づいて、複数の冷却ファンが駆動制御されているため、点光源の温度調節に優れている。
【００１５】
また、請求項５に係る発明は、請求項１〜請求項４のいずれかに係る発明に従属する発明であって、ファン制御部は冷却ファンをＯＮ／ＯＦＦ制御して点光源の温度を一定範囲に調節していることを特徴とする、画像読取装置である。
【００１６】
請求項５の発明では、ファン制御部は冷却ファンをＯＮ／ＯＦＦ制御して点光源の温度を一定範囲に調節しているため、簡素な制御回路構成で点光源の温度調節を達成することができる。
【００１７】
請求項６に係る発明は、請求項１〜請求項５のいずれかに記載の画像読取装置を備えていることを特徴とする、画像形成装置である。
【００１８】
請求項６の発明では、点光源の特性変化を軽減でき、安定した光量およびスペクトルにて原稿を照射して、良好な画像を得ることができる低消費電力タイプの画像読取装置を備えた画像形成装置が得られる。
【発明の効果】
【００１９】
本発明によれば、温度検知センサによって直接に点光源の実装半田部分の温度を検知するので、点光源の特性変化を軽減でき、安定した光量およびスペクトルにて原稿を照射して、良好な画像が得られる画像読取装置および画像形成装置を得ることができる。
【００２０】
本発明の上述の目的、その他の目的、特徴および利点は、図面を参照して行う以下の発明を実施するための最良の形態の説明から一層明らかとなろう。
【発明を実施するための最良の形態】
【００２１】
（画像形成装置）
図１は本発明に係る画像形成装置の一例を示す概略構成図である。画像形成装置は、画像形成装置本体１と、この画像形成装置本体１の上部に取り付けられた画像読取装置２とを備えている。
【００２２】
画像形成装置本体１の中央部に配設されている感光体ドラム１０３は、駆動手段によって図示矢印の反時計回り方向に所定速度で駆動される。感光体ドラム１０３の外周近傍には、帯電器１０５、現像器１０４、中間転写ローラ１０６、クリーニング部材１０７が設けられている。感光体ドラム１０３は帯電器１０５にて表面が帯電される。感光体ドラム１０３の回転方向における帯電器１０５の下流側には、レーザースキャニングユニット１０６が配置されている。画像読取装置２で読み取った画像データに基づいてレーザースキャニングユニット１０６から放射されたレーザ光Ｌは、感光体ドラム１０３上に照射され、静電潜像が形成される。
【００２３】
レーザースキャニングユニット１０６の下流側には、現像器１０４が配置されている。現像器１０４は、ブラックのトナーを感光体ドラム１０３に付与するためのものである。現像器１０４の下流側には、中間転写ローラ１０８が配置されている。さらに、転写ローラ１０６の下流側には、感光体ドラム１０３に残ったトナーを除去するためのクリーニング部材１０７が配置されている。
【００２４】
一方、給紙ローラ１１４はブラックトナー像と同期して、給紙カセット１１２から被記録媒体としての用紙Ｐを引き出して給紙する。用紙Ｐは、搬送ローラ１１５によって二次転写ローラ１１０に送り込まれる。感光体ドラム１０３上に形成されたトナー画像は中間転写ローラ１０８上に一次転写され、さらに中間転写ローラ１０８上のトナー画像は用紙Ｐ上に二次転写される。トナー画像を転写された用紙Ｐは、定着装置１１６に搬送され、そこで定着され、印刷物として排出ローラ１１７によって機外に排出されて排紙トレイ１１８上に積載される。
【００２５】
（第１の画像読取装置）
図２は本発明に係る画像読取装置の一例を示す概略側面図、図３はその概略平面図である。
【００２６】
画像読取装置２は、原稿Ｐを載置する原稿台４と、原稿Ｐを照射するＬＥＤ光源６と、原稿Ｐからの反射光ＬをＣＣＤセンサ１６へ導くための反射ミラー８，１０，１２と、結像レンズ１４、ＣＣＤセンサ１６および冷却ファン２０ａ，２０ｂ，２０ｃとから構成されている。ＬＥＤ光源６は、複数のＬＥＤ素子６ａを一列に配列したものである。
【００２７】
原稿台４上に下向きに置かれた原稿を、ＬＥＤ光源６から放射された光で照射し、反射ミラー８，１０，１２、結像レンズ１４を介してライン読み取りのＣＣＤセンサ１６上に原稿像を結像し、原稿Ｐの主走査方向の読み取りを行う。ＬＥＤ光源および反射ミラー８を搭載した第１走査枠体９と、反射ミラー１０，１２を搭載した第２走査枠体１３とは、それぞれスキャナモーター（図示せず）により駆動（移動）され、副走査方向の読み取りを行う。ＣＣＤセンサ１６は原稿像を電気信号に変換する。なお、原稿フィーダを利用して原稿Ｐを自動送りしながら原稿像を読み取る場合には、第１走査枠体９および第２走査枠体１３をスキャナモーターによって駆動（移動）しない。
【００２８】
図４は、冷却ファン２０ａ，２０ｂ，２０ｃの配置位置と温度検知センサＳ１，Ｓ２，Ｓ３の配置位置の関係を示す概略平面図である。ＬＥＤ光源６は高輝度ＬＥＤ素子６ａを用いているため、素子サイズが大きく、広面積の実装半田部分３０が形成されている。従って、温度検知センサＳ１，Ｓ２，Ｓ３のそれぞれの検出端子を、実装半田部分３０に直接接触することができる。温度検知センサＳ１は温度検知範囲Ｒ１の温度を検知するものであり、温度検知センサＳ２は温度検知範囲Ｒ２の温度を検知するものであり、温度検知センサＳ３は温度検知範囲Ｒ３の温度を検知するものである。なお、図示していないが、温度検知センサＳ１，Ｓ２，Ｓ３による測定精度を向上させるために、冷却ファン２０ａ，２０ｂ，２０ｃからの送風が温度検知センサＳ１，Ｓ２，Ｓ３に直接に当たらない構成となっている。
【００２９】
冷却ファン２０ａ，２０ｂ，２０ｃは、原稿載置基準位置を起点にして、主走査方向にそれぞれ７５ｍｍ、１５０ｍｍ、２２５ｍｍの位置に配置されている。冷却ファン２０ａは、温度検知センサＳ１からの検知温度に基づいてＯＮ／ＯＦＦ制御されている。すなわち、制御部（ＣＰＵ）は、温度検知センサＳ１によって検知されたＬＥＤ素子６ａの実装半田部分３０の温度が所定温度以上かどうかを判断する。そして、所定温度以上であれば、冷却ファン２０ａを回転駆動させ、所定温度以下であれば、冷却ファン２０ａを駆動しない。同様に、冷却ファン２０ｂは温度検知センサＳ２からの検知温度に基づいてＯＮ／ＯＦＦ制御され、冷却ファン２０ｃは温度検知センサＳ３からの検知温度に基づいてＯＮ／ＯＦＦ制御されている。
【００３０】
温度検知範囲Ｒ１，Ｒ２，Ｒ３は、原稿Ｐのサイズに基づいて設定されている。すなわち、温度検知範囲Ｒ１は主走査方向に０〜１６０ｍｍの範囲であり、温度検知範囲Ｒ２は１６０〜２３５ｍｍの範囲であり、温度検知範囲Ｒ３は２３５〜３００ｍｍの範囲である。
【００３１】
この画像読取装置２を用いて、原稿台４上に手動で置いた原稿Ｐの像を読み取る場合について説明する。原稿ＰがＡ３サイズ（２９７ｍｍ×４２０ｍｍ）の場合、温度検知センサＳ１，Ｓ２，Ｓ３が配設されているＬＥＤ素子６ａを含む、温度検知範囲Ｒ１，Ｒ２，Ｒ３の全てのＬＥＤ素子６ａが点灯する。従って、温度検知センサＳ１，Ｓ２，Ｓ３のそれぞれに個別に対応した冷却ファン２０ａ，２０ｂ，２０ｃがＯＮ／ＯＦＦ制御される。つまり、温度検知センサＳ１，Ｓ２，Ｓ３が配設されているＬＥＤ素子６ａがそれぞれ所定の温度を超えると、冷却ファン２０ａ，２０ｂ，２０ｃがそれぞれ独立して回転駆動し、ＬＥＤ光源６の冷却を開始する。
【００３２】
また、原稿ＰがＡ４サイズ（２１０ｍｍ×２９７ｍｍ）の場合、温度検知センサＳ１，Ｓ２が配設されているＬＥＤ素子６ａを含む、温度検知範囲Ｒ１，Ｒ２のＬＥＤ素子６ａが点灯する。従って、温度検知センサＳ１，Ｓ２のそれぞれに個別に対応した冷却ファン２０ａ，２０ｂのみがＯＮ／ＯＦＦ制御される。つまり、温度検知センサＳ１，Ｓ２が配設されているＬＥＤ素子６ａがそれぞれ所定の温度を超えると、冷却ファン２０ａ，２０ｂがそれぞれ独立して回転駆動し、ＬＥＤ光源６の冷却を開始する。
【００３３】
また、原稿がＡ５サイズ（１４８．５ｍｍ×２１０ｍｍ）の場合、温度検知センサＳ１が配設されているＬＥＤ素子６ａを含む、温度検知範囲Ｒ１のＬＥＤ素子６ａのみが点灯する。従って、温度検知センサＳ１に対応した冷却ファン２０ａのみがＯＮ／ＯＦＦ制御される。つまり、温度検知センサＳ１が配設されているＬＥＤ素子６ａが所定の温度を超えると、冷却ファン２０ａが回転駆動し、ＬＥＤ光源６の冷却を開始する。
【００３４】
以上のように、冷却ファン２０ａ，２０ｂ，２０ｃは各々に別個の温度検知センサＳ１，Ｓ２，Ｓ３からの検知温度に基づいて駆動制御されているため、温度が上昇した温度検知範囲Ｒ１，Ｒ２，Ｒ３のみの冷却ファン２０ａ，２０ｂ，２０ｃを稼動することができ、効率的にＬＥＤ光源６を冷却することができる。
【００３５】
次に、この画像読取装置２を用いて、原稿フィーダを利用して原稿Ｐを自動送りしながら原稿像を読み取る場合について説明する。この場合、自動送りされる原稿Ｐは、原稿載置基準位置から主走査方向に１５０ｍｍの位置にセンター合わせが行われる（ただし、図示はしていない）。原稿ＰがＡ３サイズの場合、温度検知センサＳ１，Ｓ２，Ｓ３が配設されているＬＥＤ素子６ａを含む全てのＬＥＤ素子６ａが点灯する。従って、温度検知センサＳ１，Ｓ２，Ｓ３のそれぞれに個別に対応した冷却ファン２０ａ，２０ｂ，２０ｃがＯＮ／ＯＦＦ制御される。つまり、温度検知センサＳ１，Ｓ２，Ｓ３が配設されているＬＥＤ素子６ａがそれぞれ所定の温度を超えると、冷却ファン２０ａ，２０ｂ，２０ｃがそれぞれ独立して回転駆動し、ＬＥＤ光源６の冷却を開始する。
【００３６】
原稿ＰがＡ４サイズの場合、温度検知センサＳ１，Ｓ２，Ｓ３が配設されているＬＥＤ素子６ａを含む全てのＬＥＤ素子６ａが点灯する。従って、温度検知センサＳ１，Ｓ２，Ｓ３のそれぞれに個別に対応した冷却ファン２０ａ，２０ｂ，２０ｃがＯＮ／ＯＦＦ制御される。つまり、温度検知センサＳ１，Ｓ２，Ｓ３が配設されているＬＥＤ素子６ａがそれぞれ所定の温度を超えると、冷却ファン２０ａ，２０ｂ，２０ｃがそれぞれ独立して回転駆動し、ＬＥＤ光源６の冷却を開始する。
【００３７】
原稿ＰがＡ５サイズの場合、温度検知センサＳ１，Ｓ２が配設されているＬＥＤ素子６ａを含む、温度検知範囲Ｒ１，Ｒ２のＬＥＤ素子６ａが点灯する。従って、温度検知センサＳ１，Ｓ２のそれぞれに個別に対応した冷却ファン２０ａ，２０ｂのみがＯＮ／ＯＦＦ制御される。つまり、温度検知センサＳ１，Ｓ２が配設されているＬＥＤ素子６ａがそれぞれ所定の温度を超えると、冷却ファン２０ａ，２０ｂがそれぞれ独立して回転駆動し、ＬＥＤ光源６の冷却を開始する。
【００３８】
このように、原稿Ｐを手動で原稿台４上に置いて読み取る場合と、原稿フィーダを利用して自動で原稿Ｐを原稿台４上に送り込んで読み取る場合とで、原稿Ｐの原稿台４上での読み取り位置が異なる画像読取装置２では、それぞれの場合に合わせて制御部（ＣＰＵ）の冷却ファン２０ａ，２０ｂ，２０ｃの制御を異ならせる必要がある。
【００３９】
以上の構成からなる画像読取装置２は、ＬＥＤ光源６を連続点灯した場合や高電流を通電した場合などに、温度検知センサによって直接にＬＥＤ素子の実装半田部分の温度上昇を検知し、温度検知結果に基づいて冷却ファン２０ａ，２０ｂ，２０ｃにてＬＥＤ光源６を冷却するので、光量変化やスペクトル変化を低減することができ、良好な画像を得ることができる。
【００４０】
（第２の画像読取装置）
図５は本発明に係る画像読取装置の別の一例を示すもので、冷却ファン２０ａ，２０ｂ，２０ｃの配置位置と温度検知センサＳ１１〜Ｓ１３，Ｓ２１，Ｓ２２，Ｓ３１，Ｓ３２の配置位置の関係を示す概略平面図である。この画像読取装置は、一つの冷却ファン（例えば２０ａ）に対応して複数の温度検知センサ（Ｓ１１〜Ｓ１３）が配設され、複数の温度検知センサ（Ｓ１１〜Ｓ１３）からのそれぞれの検知温度に基づいて、対応する一つの冷却ファン（２０ａ）を駆動制御しているものである。温度検知センサＳ１１〜Ｓ１３は温度検知範囲Ｒ１の温度を検知するものであり、温度検知センサＳ２１，Ｓ２２は温度検知範囲Ｒ２の温度を検知するものであり、温度検知センサＳ３１，Ｓ３２は温度検知範囲Ｒ３の温度を検知するものである。
【００４１】
冷却ファン２０ａ，２０ｂ，２０ｃは、原稿載置基準位置を起点にして、主走査方向にそれぞれ７５ｍｍ、１５０ｍｍ、２２５ｍｍの位置に配置されている。冷却ファン２０ａは、温度検知センサＳ１１〜Ｓ１３からの検知温度に基づいてＯＮ／ＯＦＦ制御されている。すなわち、制御部（ＣＰＵ）は、温度検知センサＳ１１〜Ｓ１３によって検知されたＬＥＤ素子６ａの実装半田部分３０の温度が所定温度以上かどうかを判断する。このとき、画像読取装置の構造、隣り合うＬＥＤ素子６ａの点灯消灯状態、あるいはＬＥＤ素子６ａ単体の発熱差などの要因で温度検知位置によって、温度上昇に差が生じる。そこで、温度検知センサＳ１１〜Ｓ１３を複数設け、それらの温度のうちの一つが所定温度以上であれば、冷却ファン２０ａを回転駆動させることによって、より適切なタイミングでＬＥＤ光源６を冷却開始することができる。同様に、冷却ファン２０ｂは温度検知センサＳ２１，Ｓ２２からの検知温度に基づいてＯＮ／ＯＦＦ制御され、冷却ファン２０ｃは温度検知センサＳ３１，Ｓ３２からの検知温度に基づいてＯＮ／ＯＦＦ制御されている。
【００４２】
温度検知範囲Ｒ１，Ｒ２，Ｒ３は、原稿Ｐのサイズに基づいて設定されている。すなわち、温度検知範囲Ｒ１は主走査方向に０〜１６０ｍｍの範囲であり、温度検知範囲Ｒ２は１６０〜２３５ｍｍの範囲であり、温度検知範囲Ｒ３は２３５〜３００ｍｍの範囲である。
【００４３】
この画像読取装置２を用いて、原稿台４上に手動で置いた原稿Ｐの像を読み取る場合について説明する。原稿ＰがＡ３サイズ（２９７ｍｍ×４２０ｍｍ）の場合、温度検知センサＳ１１〜Ｓ３２が配設されているＬＥＤ素子６ａを含む全てのＬＥＤ素子６ａが点灯する。従って、温度検知センサＳ１１〜Ｓ１３，Ｓ２１，Ｓ２２，Ｓ３１，Ｓ３２のそれぞれに個別に対応した冷却ファン２０ａ，２０ｂ，２０ｃがＯＮ／ＯＦＦ制御される。つまり、温度検知センサＳ１１〜Ｓ１３，Ｓ２１，Ｓ２２，Ｓ３１，Ｓ３２が配設されているＬＥＤ素子６ａがそれぞれ所定の温度を超えると、冷却ファン２０ａ，２０ｂ，２０ｃがそれぞれ独立して回転駆動し、ＬＥＤ光源６の冷却を開始する。
【００４４】
また、原稿ＰがＡ４サイズ（２１０ｍｍ×２９７ｍｍ）の場合、温度検知センサＳ１１〜Ｓ１３，Ｓ２１〜Ｓ２２が配設されているＬＥＤ素子６ａを含む、温度検知範囲Ｒ１，Ｒ２のＬＥＤ素子６ａが点灯する。従って、温度検知センサＳ１１〜Ｓ１３，Ｓ２１，Ｓ２２のそれぞれに個別に対応した冷却ファン２０ａ，２０ｂのみがＯＮ／ＯＦＦ制御される。つまり、温度検知センサＳ１１〜Ｓ１３，Ｓ２１，Ｓ２２が配設されているＬＥＤ素子６ａがそれぞれ所定の温度を超えると、冷却ファン２０ａ，２０ｂがそれぞれ独立して回転駆動し、ＬＥＤ光源６の冷却を開始する。
【００４５】
また、原稿がＡ５サイズ（１４８．５ｍｍ×２１０ｍｍ）の場合、温度検知センサＳ１１〜Ｓ１３が配設されているＬＥＤ素子６ａを含む、温度検知範囲Ｒ１のＬＥＤ素子６ａのみが点灯する。従って、温度検知センサＳ１１〜Ｓ１３に対応した冷却ファン２０ａのみがＯＮ／ＯＦＦ制御される。つまり、温度検知センサＳ１１〜Ｓ１３が配設されているＬＥＤ素子６ａのいずれか一つが所定の温度を超えると、冷却ファン２０ａが回転駆動し、ＬＥＤ光源６の冷却を開始する。
【００４６】
（第３の画像読取装置）
第３の実施形態の画像読取装置は、図４に示した構成と同様のものである。ただし、この画像読取装置は、一つの温度検知センサ（例えばＳ１）に対して複数の冷却ファン（２０ａ〜２０ｃ）が対応しており、制御部（ＣＰＵ）は温度検知センサ（Ｓ１）からの一つの検知温度に基づいて、複数の冷却ファン（２０ａ〜２０ｃ）を駆動制御するものである。
【００４７】
Ａ３サイズやＡ４サイズの原稿Ｐの像を読み取るために、温度検知範囲Ｒ１，Ｒ２，Ｒ３のうち2以上の範囲のＬＥＤ素子６ａを点灯する場合、温度検知センサＳ１，Ｓ２，Ｓ３が配設されているＬＥＤ素子６ａのどれか一つが所定の温度を超えると、冷却ファン２０ａ，２０ｂ，２０ｃのうち稼動対象となっている冷却ファン全てを稼動する。従って、より適切なタイミングでＬＥＤ光源６を冷却開始することができる。
【００４８】
なお、本発明は前記実施の形態に限定されるものではなく、その要旨の範囲内で種々に変形される。前記実施形態では、温度検知センサＳ１〜Ｓ３，Ｓ１１〜Ｓ３２の配設位置をセンチサイズの原稿を考慮した配置にしているが、インチサイズの原稿に合わせた配置にしてもよい。
【図面の簡単な説明】
【００４９】
【図１】本発明に係る画像形成装置の一例を示す概略構成図である。
【図２】本発明に係る画像読取装置の一例を示す概略側面図である。
【図３】図２に示した画像読取装置の概略平面図である。
【図４】冷却ファンの配置位置と温度検知センサの配置位置の関係の一例を示す概略平面図である。
【図５】冷却ファンの配置位置と温度検知センサの配置位置の関係の別の一例を示す概略平面図である。
【符号の説明】
【００５０】
１  画像形成装置本体
２  画像読取装置
６  ＬＥＤ光源
６ａ  ＬＥＤ素子
８，１０，１２  反射ミラー
１４  結像レンズ
１６  ＣＣＤセンサ
２０ａ，２０ｂ，２０ｃ  冷却ファン
３０  ＬＥＤ素子の実装半田部分
Ｓ１，Ｓ２，Ｓ３，Ｓ１１〜Ｓ１３，Ｓ２１，Ｓ２２  温度検知センサ
【図１】
0005295552.tif 000002
【図２】
0005295552.tif 000003
【図３】
0005295552.tif 000004
【図４】
0005295552.tif 000005
【図５】
0005295552.tif 000006